(57)【要約】【課題】屋外で作業をする場合であっても、使用者への日差し、雨や雪を確実に遮ることができ、使用者への負担や、作業への手間を軽減することが可能な、屋根付腰掛を提供する。【解決手段】前後方向に、水平かつ略平行に配置された一対のベース部材２１と、使用者が座るための部材であって、前記一対のベース部材２１を夫々前方に延出して連結する板状の座部２４と、前記一対のベース部材２１に夫々装着された車輪２３と、少なくとも前側が開放され、前記一対のベース部材２１の夫々に一端及び他端を連結し、少なくとも前記一対のベース部材２１の間で且つ前記座部２４及び前記座部２４の前方の領域を覆う屋根部１０とを具備することを特徴とする。【選択図】          図１
2005118182.tif 000002
【特許請求の範囲】
【請求項１】
前後方向に、水平かつ略平行に配置された一対のベース部材と、
使用者が座るための部材であって、前記一対のベース部材を夫々前方に延出して連結する板状の座部と、
前記一対のベース部材に夫々装着された車輪と、
少なくとも前側が開放され、前記一対のベース部材の夫々に一端及び他端を連結し、少なくとも前記一対のベース部材の間で且つ前記座部及び前記座部の前方の領域を覆う屋根部と
を具備することを特徴とする屋根付腰掛。
【請求項２】
前記屋根部は、
左右方向に複数の袋状の通し孔が形成されたシート状の幌と、
前記通し孔に挿通され、前記幌を弓形状に保持する支柱と
を備え、
前記支柱の端部が前記一対のベース部材に対して着脱可能に取付けられていることを特徴とする請求項１に記載の屋根付腰掛。
【請求項３】
前記支柱は、互いに平行に配設された、複数の可撓性の棒部材を備え、
前記一対のベース部材から取外された時の弾性によって、前記幌を伸展して、平面形状に保持する
ことを特徴とする請求項２に記載の屋根付腰掛。
【請求項４】
前記幌は、該幌の表面全体を覆う断熱シートを備えることを特徴とする請求項２または請求項３に記載の屋根付腰掛。
【請求項５】
前記座部の前側には、使用者の指を引掛けるための係止部が設けられていることを特徴とする請求項１乃至請求項４のいずれか一つに記載の屋根付腰掛。
【発明の詳細な説明】
【技術分野】
【０００１】
本発明は、屋根付腰掛に関するものであり、特に屋外での作業を行なう場合に、使用者に降り注ぐ日差し、雪や雨等を回避させて、作業時の負担を軽減することが可能な屋根付腰掛に関するものである。
【背景技術】
【０００２】
一般的に、草むしりのような作業は、中腰やしゃがんだ姿勢で行われている。このような姿勢は、作業する人の足腰に大きな負担がかかることから、長時間に亘って作業をすることは困難である。
【０００３】
そこで、地面から座面までの高さが、中腰やしゃがんだ状態のお尻の高さと、ほとんど変わらない高さとなる腰掛が知られている。この腰掛によれば、作業する姿勢のまま、体重の一部を支えられるので、足腰にかかる負担を軽減させることができる。
【０００４】
さらに、腰掛に車輪を装着したものが提供されている。これは、腰掛を動かしたい方向へ、使用者自身が、膝の屈伸を使って地面を蹴ることで、移動することができるものである。これによれば、座ったままの状態で作業する場所を移動することができるため、立ち上がって移動する動作の負担を軽減させることができる。
【０００５】
出願人は、本願出願時において、以上の従来技術が記載されている文献を知見していない。
【発明の開示】
【発明が解決しようとする課題】
【０００６】
しかし、草むしりのような作業は主に屋外で行なわれることが多いために、太陽の直射日光による日差しを受け続けることで、使用者の体温を上昇させ、熱射病や脱水症状を起こすことがあった。このように、炎天下での長時間の作業は体に大変負担を強いるものであった。
【０００７】
これを防止するために、使用者は、ひさしやつばのついた帽子をかぶって作業を行なう場合もあるが、これによれば頭部とその周辺部分しか日陰にならず、体の大部分は日差しにさらされたままとなる。頭部周辺を日差しから守ることは熱射病や脱水症状の予防に対して有効であるけれども、依然、体にかかる負担は大きいものであった。
【０００８】
尚、寒冷紗を用いて作業範囲の上方に覆いをして日陰を作ったり、パラソル等を使ったりして、使用者に日差しが当たらないようにすることもある。しかし、寒冷紗は広範囲の遮光や減光に対しては有効であるが、嵩が大きいために持ち運びに不便であり、さらに設置するためには、支持材を用いて寒冷紗を伸展しなければならないため、作業には関係しない余分な時間を要した。特に、広範囲に及んで設置する場合には、さらに時間を費やさなければならなかった。一方、パラソルは寒冷紗と比べると嵩が小さく、パラソルの軸部分を地面に直接立てかけたり、支持部材を用いて使用することができるため、設置することは比較的簡単であるが、一般的にパラソルの傘部分の面積は小さく、日陰となる範囲が狭いので、例えば、場所を移動して作業する場合には、その都度パラソルを移動させて、再び設置し直すといった作業をしなければならず、二度手間になっていた。
【０００９】
そこで、本発明は上記の実情に鑑み、例えば、屋外で作業をする場合であっても、使用者への日差し、雨や雪を確実に遮ることができ、使用者への負担や、作業への手間を軽減することが可能な、屋根付腰掛を提供する。
【課題を解決するための手段】
【００１０】
本発明にかかる屋根付腰掛は、前後方向に、水平かつ略平行に配置された一対のベース部材と、使用者が座るための部材であって、前記一対のベース部材を夫々前方に延出して連結する板状の座部と、前記一対のベース部材に夫々装着された車輪と、少なくとも前側が開放され、前記一対のベース部材の夫々に一端及び他端を連結し、少なくとも前記一対のベース部材の間で且つ前記座部及び前記座部の前方の領域を覆う屋根部とを具備するものである。
【００１１】
この屋根付腰掛によれば、一対のベース部材は、前後方向に水平かつ略平行に配置されている。また、一対のベース部材を前方に延出して、間に挟まれる格好で連結された座部が設けられている。つまり、一対のベース部材の間に設けられた座部に対して、使用者は足が前方に配置される格好で座ることになる。また、車輪は一対のベース部材に夫々装着されている。つまり、使用者が座部に座ったまま、足を使って動かしたい方向に力を加えることで、車輪が回転することから容易に移動することになる。また、屋根部は少なくとも前側が開放され、一対のベース部材の夫々に一端及び他端が連結されており、少なくとも一対のベース部材の間、かつ座部及び座部の前方の領域を覆っている。つまり、屋根部がベース部材と一緒に移動し、さらに屋根部によって座部及び座部の前方は覆われていることから、使用者と、使用者の前方に位置する足は覆われることになるので、従来必要であったパラソル等の日除けとなる部材を、別途移動させる手間が省かれる。このため、使用者は、座部に座ったままの状態で移動した場合でも、移動する前と変わらない状態に保たれる。
【００１２】
さらに、本発明にかかる屋根付腰掛において、「前記屋根部は、左右方向に複数の袋状の通し孔が形成されたシート状の幌と、前記通し孔に挿通され、前記幌を弓形状に保持する支柱とを備え、前記支柱の端部が前記一対のベース部材に対して着脱可能に取付けられている」構成とすることができる。
【００１３】
この屋根付腰掛によれば、幌はシート状の部材に、左右方向に複数の袋状の通し孔が形成されている。支柱は、幌に形成された通し孔に挿通されている。これによると、屋根部は、幌に挿通された支柱によって弓形状に保持されることになる。また、屋根部と屋根部以外の構成部材、すなわち一対のベース部材、車輪及び座部から組合わされたものとは、分離可能な構成である。つまり、分離させて夫々を単独で使用することができる。また、支柱は幌に形成された通し孔に挿通されて、一対のベース部材に固定されていることから、支柱の長さ方向に幌をスライドさせることができる。これにより、例えば、日差しが地面に反射することで起こる「照り返し」側に幌をスライドさせて、幌の端部と一対のベース部材の表面とを隙間を空けないように接することで、幌の内側に照り返しが入らないようにできる。また、風の吹き込む側の隙間が大きくなるように幌をスライドさせることで、幌の内側へ風が入りやすくなることから、幌の内側の温度上昇を抑制することができる。
【００１４】
さらに、本発明にかかる屋根付腰掛において「前記支柱は、互いに平行に配設された、複数の可撓性の棒部材を備え、前記一対のベース部材から取外された時の弾性によって、前記幌を伸展して、平面形状に保持する」構成とすることができる。
【００１５】
この屋根付腰掛によれば、支柱は、可撓性の棒部材であることから、支柱がベース部材から抜き取られることにより、撓んでいた支柱の弾性によって直線形状に戻ろうとする力が働く。これによって、幌は、支柱の動きに従って伸展されて平面形状になる。また、支柱は、幌の通し孔に対して、互いに平行に複数配設されている。幌は、シート状の部材によって形成されている。これにより、平面形状になった幌は、支柱の長さ方向に対して垂直方向に巻き取ることが可能となる。
【００１６】
さらに、本発明にかかる屋根付腰掛において「前記幌は、該幌の表面全体を覆う断熱シートを備える」構成とすることができる。
【００１７】
この屋根付腰掛によれば、屋根部に当たった日差しは、表面部分の断熱シートによって反射される。つまり、日差しによって、屋根部の内部に熱がこもるのを抑制することができる。
【００１８】
さらに、本発明にかかる屋根付腰掛において「前記座部の前側には、使用者の指を引掛けるための係止部が設けられている」構成とすることができる。
【００１９】
この屋根付腰掛によれば、座部に座っている使用者が、地面の段差を乗り越えて移動する場合には、座部の前側に設けられている係止部に指を引掛けて座部を持ち上げることが可能になる。つまり、座部が持ち上げられることにより、座部に連結されている一対のベース部材、さらに一対のベース部材に取付けられている車輪が一緒に持ち上げられ、地面の段差を乗り越えて移動することができる。
【発明の効果】
【００２０】
本発明によれば、屋根部によって、座部の上に位置する使用者の体ばかりでなく、座部の前方に位置する足も覆うことができるため、日差し、雨や雪を遮ることができる。さらに、パラソル等の日除けを移動、設置しなおす手間が省けて作業を続けられるので、使用者の負担を軽減することができる。
【発明を実施するための最良の形態】
【００２１】
以下、本発明の第一実施形態である屋根付腰掛１について、図１乃至図４に基づき説明する。図１は屋根付腰掛１の全体構成を示す斜視図であり、図２は屋根付腰掛１を分解した状態を示す分解斜視図であり、図３は車体部２０の折り畳んだ形態を示す斜視図であり、図４は屋根部１０の説明図であり、特に、図４（ａ）は伸展した状態を示し、図４（b）は収納した状態を示している。
【００２２】
本発明の第一実施形態である屋根付腰掛１は、図１に示すように、主に弓形状の屋根部１０と、車体部２０とを具備している。屋根部１０は車体部２０に連結され、車体部２０の上方に位置している。
【００２３】
屋根部１０は、車体部２０を覆うためのものであり、シート状の幌１１と、幌１１に挿通されている支柱１２と、幌１１の前側及び後側の一端部分に取付けられた遮へい部材１３とを備える。
【００２４】
幌１１は、図４に示すように、平面形状を呈しており、表面材と裏面材とを備えている。表面材は断熱シートによって構成され、裏面材はビニール素材によって構成されている。ここで、断熱シートとは、表面にアルミフィルムの薄い膜を、蒸着して形成したもので、アルミフィルム面に当たる日差しを反射するものである。また、表面材と裏面材との接合する面には、互いに平行に複数の袋状の通し孔１４が形成されている。
【００２５】
支柱１２は、可撓性の部材、例えば細い棒状の鋼材が用いられ、幌１１に形成された通し孔１４に挿通されている。さらに、支柱１２の両端部は、幌１１の端部から延出して設けられている。この可撓性の支柱１２を用いることで、幌１１は、支柱１２の撓みの状態に応じて、平面形状から弓形状まで変化させられる。尚、平面形状になった幌１１は、支柱１２の長さ方向に対して垂直方向に巻き取ることができる。また、支柱１２は、幌１１に形成された通し孔１４に挿通されていることから、支柱１２の長さ方向に、幌１１をスライドさせることができる。さらに、幌１１の端部から一対のベース部材２１の表面までは隙間になっているので、全方位から風を取入れることができる。
【００２６】
遮へい部材１３は、弓形状になった幌１１の前側及び後側の上端部分に取付けられている。尚、遮へい部材１３は幌１１と同様に、表面材を断熱シートによって構成し、裏面材をビニール素材によって構成されている。
【００２７】
一方、車体部２０は、図１に示すように、屋根部１０を支持しており、一対のベース部材２１と、一対のベース部材２１の下面に設けられた車輪２３と、一対のベース部材２１を夫々連結する板状の座部２４と、座部２４に座った使用者がもたれるための背もたれ２７と、背もたれ２７を回動させて折り畳むための折り畳み金具２８と、車体部２０を押して移動させるための手押桿３０とを備えている。
【００２８】
一対のベース部材２１は、互いに略平行に配置されており、木材で形成されている。一対のベース部材２１の、座部２４の前面及び後面から延出している長さは約３５ｃｍになっている。また、一対のベース部材２１の、夫々の上面には上下方向に貫通した複数の取付孔２２が設けられている。これらの取付孔２２は、支柱１２の端部を嵌挿するための部分である。
【００２９】
車輪２３は、図２に示すように、一対のベース部材２１の、前端側と後端側とにそれぞれ設けられている。さらに、車輪２３とベース部材２１との間には、回動軸２９が設けられている。この回動軸２９は、車輪２３の回転軸を、全方位に回動させるためのものである。
【００３０】
座部２４は、作業者が座るための部材であり、前後方向の長さが約４０ｃｍの木材で形成されている。座部２４は、長手方向の下面端部において、一対のベース部材２１の上面を夫々連結している。このため、座部２４は、一対のベース部材２１に対して高い位置に設けられている。さらに、座部２４の前端部分には貫通孔２５が設けられており、この貫通孔２５が本発明の係止部に相当する。また、後側には、折り畳み金具２８によって支持された背もたれ２７が配設されている。折り畳み金具２８は回動可能な構造であることから、背もたれ２７の位置を、略鉛直状態から座部２４の上面に重なる位置まで回動させることができる。また、座部２４の上面には、座布団２６が配設されている。
【００３１】
手押桿３０は、空洞のパイプ構造をした樹脂からなり、主に、桿上部３１と、桿下部３２とから構成されている。詳しく説明すると、桿上部３１は、桿下部３２に差し込まれて連結されており、さらに、座部２４の後側に配設され、背もたれ２７を間に挟む格好で、逆Ｕ字型になっている。この桿上部３１の強度を補強するために、鉛直部分の間に亘って、補強材３４が設けられている。また、桿下部３２から桿上部３１が抜けないように、抜け止孔３５が前後方向に貫通して設けられており、前側から抜け止ネジ３６を嵌挿し、後側からナット（図示しない）によって締結されている。さらに、桿下部３２は、固定金具３７によって、座部２４の後方から固定されている。
【００３２】
次に、第一実施形態の屋根付腰掛１の組立方法及び使用方法について説明する。まず組立てるには、平面形状に伸展されている幌１１を、支柱１２の両端部同士を近づけるようにして弓形状にする。この状態で、一対のベース部材２１に設けられた取付孔２２に、支柱１２の端部を夫々嵌挿する。支柱１２の端部が取付孔２２に挿嵌されることで、屋根部１０が一対のベース部材２１の上方に位置し、座部２４の前方及び後方の領域を覆う状態となる。尚、背もたれ２７及び手押桿３０は後述するように分解可能であるが、ここではあらかじめ組つけられた状態として、これらの組立方法の説明は省略する。
【００３３】
一方、屋根付腰掛１を使用する場合には、屋根部１０と車体部２０とによってできた前側の開口部分から、使用者が内側に入り、座部２４に載置された座布団２６の上に座る。このとき、使用者の両足は、一対のベース部材２１の間で且つ座部２４の前方の領域に位置する格好となる。この領域は屋根部１０によって覆われているので、この結果、使用者に日差しは当たらない。また、幌１１の前側に開放された上端部分には、遮へい部材１３が設けられている。これによって、開放されている部分から幌１１の内側に進入する日差しを遮ることができる。また、遮へい部材１３が覆っているのは、上側部分だけなので、使用者の視界を遮ることがない。さらに、遮へい部材１３は上端部分に取付けられ、遮へい部材１３の側方に隙間が形成されていることから、外側に熱が放出されやすくなる。ところで、座部２４に座った状態でのお尻の高さは、中腰あるいはしゃがんだ状態でのお尻の高さと略同等の高さになっている。つまり、使用者は座ったままの状態で、中腰あるいはしゃがんだ姿勢と同様の姿勢で作業を行なうことができる。尚、座部２４は、一対のベース部材２１の上面を座部２４の下面において連結していることから、例えば、雨が降った場合でも、一対のベース部材２１に付着した雫が座部２４へ伝わることを阻止し、使用者が濡れるのを防ぐことができる。また、支柱１２は幌１１に形成された通し孔１４に挿通されて、一対のベース部材２１に固定されていることから、支柱１２の長さ方向に幌１１をスライドさせることができる。例えば、日差しが地面に反射することで起こる「照り返し」側に幌１１をスライドさせて、幌１１の端部と一対のベース部材２１の表面とを隙間を空けないように接することで、幌１１の内側に照り返しが入らないようにできる。また、風の吹き込む側の隙間が大きくなるように幌１１をスライドさせることで、幌１１の内側へ風が入りやすくなることから、幌１１の内側の温度上昇を抑制することができる。
【００３４】
使用者が、座った状態のままで場所を変える場合には、足で地面を引き寄せる、または蹴ることで移動することができる。譬え、地面が起伏の激しい状態であっても、使用者は座部２４から少し腰を浮かし、座部２４の前側に設けられた貫通孔２５に指を引掛けて、上方に少し持ち上げながら使用者側に引き寄せることで、地面の起伏を越えて移動させることができる。尚、支柱１２の端部が車体部２０の取付孔２２に嵌挿されていることから、屋根部１０と車体部２０とは一緒に移動する。これによって、使用者は、引き続き日差しの当たらない幌１１の内側で作業ができる。
【００３５】
次に、屋根付腰掛１の分解方法について説明する。まず、一対のベース部材２１に設けられた取付孔２２から、支柱１２の端部を引き抜いて取外す。これにより、屋根部１０は車体部２０から分離され、撓んでいた支柱１２が直線形状になることで、幌１１が伸展されて平面形状になる。この平面形状になった幌１１を、支柱１２の長さ方向に対して垂直方向に巻き取って収納する。
【００３６】
図３に示すように、車体部２０を分解するには、折り畳み金具２８を、座部２４方向に回動させて、背もたれ２７部分が座部２４の上面に対して重なるように倒す。さらに、抜け止孔３５から、抜け止ネジ３６を取外し、桿下部３２から桿上部３１を引き抜くことで外れて、車体部２０は平坦な形状になる。これによれば、各々の構成部材の高さ方向の寸法が小さくなることから、持ち運びや搬送がしやすくなる。
【００３７】
このように、上記の屋根付腰掛１によれば、使用者は、座った状態のまま地面を足で引き寄せる、または蹴ることで移動することができる。さらに、屋根部１０によって、一対のベース部材２１の間であり、かつ座部２４及び座部２４の前方の領域が覆われ、使用者は、この覆われる領域に位置する。つまり、使用者は、屋根部１０によって覆われていることから、移動をした場合でも、日差し、雨や雪の当たらない領域の中で作業をすることができるので、体にかかる負担や、作業以外の手間が軽減される。
【００３８】
また、上記の屋根付腰掛１を構成する、屋根部１０と、車体部２０とは夫々単独で使用することができる。これによれば、屋根部１０は、例えば、支柱１２の端部を直接地面に突き立てることにより安定した状態で、即席のサンシェイド（日除け）として使用することができる。一方、車体部２０は、屋根部１０が取外されることにより、閉塞感がなくなり、さらに視野が拡大された状態で使用することができる。特に、日差しの強くない曇りの日や、屋内で作業を行なう場合に有効である。
【００３９】
次に、本発明の第二実施形態について、図５及び図６に基づき説明する。図５は屋根付腰掛５０の全体構成を示す斜視図であり、図６は屋根付腰掛５０を分解した状態を示す分解斜視図である。尚、第一実施形態の屋根付腰掛１と同様の部分は同じ番号を付し、それらの詳細な説明は省略する。
【００４０】
屋根付腰掛５０は、図５に示すように、主に、弓形状の屋根部５５と車体部６０とを具備している。屋根部５５は、車体部６０を覆うためのものであり、車体部６０に連結されている。屋根部５５の前側及び後側の上端部分には、遮へい部材５６が取付けられている。この遮へい部材５６は、外形形状が半円状に形成されている。
【００４１】
一方、車体部６０は、屋根部５５を支持しており、一対のベース部材６１、一対のベース部材６１の下面に設けられた車輪６３、一対のベース部材６１を夫々連結する板状の座部６４、背もたれ６７、及び手押桿７０を備えている。また、一対のベース部材６１、座部６４及び手押桿７０はアルミニウムで形成されており、夫々の部材の互いに接する部分が溶接によって固着されている。つまり、一対のベース部材６１、座部６４及び桿下部７２は一体に形成されている。
【００４２】
一対のベース部材６１は、互いに略平行に配置されたアルミニウムの角パイプから構成されている。座部６４の前面から延出している長さは約４５ｃｍになっており、また、座部６４の後面から延出している長さは、約２５ｃｍになっている。つまり、第一実施形態の座部２４よりも、座部６４を後方に移動させて、後側の延出部分よりも前側の延出部分が長くなるように配設されている。
【００４３】
座部６４は、前後方向の長さが約４０ｃｍのアルミニウムによって形成されている。座部６４は、長手方向の下面端部において、一対のベース部材６１の上面を夫々連結している。このため、座部６４は、一対のベース部材６１に対して高い位置に設けられている。さらに、座部６４の前端部分には、下方に屈曲して延出し、使用者の指が係止することができる程度、詳しくは、座部から約３ｃｍ下方に延出している延出部分６５が設けられている。この延出部分６５が、本発明の係止部に相当する。また、座部６４の上面には、座布団２６が配設されている。
【００４４】
手押桿７０は、アルミニウムからなる角パイプによって形成され、主に、桿上部７１と、桿下部７２とから構成されている。桿上部７１は、桿下部７２に差し込まれて連結されており、さらに、座部６４の後側に配設され、逆Ｕ字型になっている。また、桿下部７２から桿上部７１が抜けないように、抜け止孔（図示しない）が後側に設けられており、この部分に抜け止ネジ７６を嵌挿して締結されている。
【００４５】
桿上部７１には、鉛直部分に挿通され、両鉛直部分の間にわたって背もたれ６７が架け渡されている。背もたれ６７は、布状のビニール素材からできており、両端部が環状に縫い合わされている。これにより、背もたれ６７は摩擦力によって桿上部７１の鉛直部分を滑り落ちることなく、所定の位置に保持されて、使用者の背中を受止めることができる。
【００４６】
第二実施形態の屋根付腰掛５０の組立方法及び使用方法は、第一実施形態と同様の方法によって行なわれるのでここでは説明を省略する。
【００４７】
次に、屋根付腰掛５０の分解方法について説明する。尚、第一実施形態と同様の部分については説明を省略する。
【００４８】
図６に示すように、車体部６０を分解するには、抜け止孔から、抜け止ネジ７６を取外し、桿下部７２から桿上部７１を引き抜くことで外れて、車体部６０は平坦な形状になる。これによれば、各々の構成部材の、高さ方向の寸法が小さくなり、さらに、アルミニウムによって構成されていることから、軽量で持ち運びや搬送がしやすくなる。
【００４９】
このように、第二実施形態では第一実施形態の効果に加えて、アルミニウムで構成された車体部６０が、溶接によって一体に形成されていることで、各部材の連結部分が強固になることから、全体としての強度が向上する。また、溶接によって一体に形成されていることで、面倒な組立作業を省くことができる。さらに、車体部６０がアルミニウムによって構成されていることから錆びに強いので、屋外での作業に適している。
【００５０】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００５１】
上記第一実施形態では、一対のベース部材２１の略中央を座部２４によって連結して、前側と後側とに延出するものを示したが、後側に延出しないようにしてもよい。これによれば、屋根付腰掛１を小型化することができる。
【００５２】
上記第一及び第二実施形態では、車輪２３、６３をベース部材２１、６１の下面に配置するものを示したが、ベース部材２１、６１の側面に車輪２３、６３を配置してもよい。これにより、特に座部の高さを変えることなく、車輪の直径を大きくすることができるので、作業性を悪くすることなく、地面に起伏がある場合でも、乗り越え動作が容易になる。
【００５３】
上記第一及び第二実施形態では、支柱１２の端部を取付孔２２に嵌挿するものを示したが、支柱１２の端部を係止部材によって取付孔２２に固定してもよい。これによれば、支柱１２の端部をより確実に固定することができ、強風や、不意な動作によって、取付孔２２から支柱１２の端部が抜けるのを防ぐことができる。
【００５４】
上記第一及び第二実施形態では、幌１１の端部から一対のベース部材の表面までが隙間になっているものを示したが、一対のベース部材に支柱１２の端部を挿嵌したまま、一対のベース部材の表面と幌１１の端部とを接して、隙間を空けないようにしてもよい。これによれば、例えば、日差しが地面に反射して起こる照り返し等から使用者を保護することができる。
【００５５】
上記第一及び第二実施形態では、幌１１の断熱シート面を外側にして使用したが、冬期などの気温が低い場合には、幌１１を裏返し、断熱シート面を内側にして使用してもよい。これによれば、断熱シート面が内側にあることで、幌１１の内側の温度を、外側に逃げにくくすることができるので、幌１１の内側を比較的暖かく保つことができる。
【００５６】
上記第一及び第二実施形態では、屋根部１０、５５の前側と後側とを開放したものを示したが、後側を閉塞してもよく、例えば、カーテン状の風除け（図示しない）を後側に設けて閉塞してもよい。ただし、上記実施形態のように前側と後側とを開放することで、風通しがよくなる。
【００５７】
上記第一及び第二実施形態では、木材及びアルミニウムによって形成されたものを示したが、材料は限定されるものではなく、ＦＲＰ、ＡＢＳ樹脂等のプラスチックによって形成されたものでもよい。例えば、空洞のプラスチックのパイプによって形成してもよい。この場合、屋根付腰掛をさらに軽量にすることができる。
【００５８】
上記第一及び第二実施形態では、主に草むしりの作業に用いる例を示したが、海水浴や河原等で行なわれるレジャー、道端や寺社の境内で商品を販売する露店商に用いてもよい。
【図面の簡単な説明】
【００５９】
【図１】本発明の第一実施形態である屋根付腰掛を示す斜視図である。
【図２】屋根付腰掛の分解した状態を示す分解斜視図である。
【図３】屋根付腰掛の車体部を折り畳んだ状態を示す斜視図である。
【図４】屋根付腰掛を示す説明図であり、（ａ）は屋根部を伸展した状態であり、（ｂ）は屋根部を収納した状態である。
【図５】本発明の第二実施形態である屋根付腰掛を示す斜視図である。
【図６】屋根付腰掛の分解した状態を示す分解斜視図である。
【符号の説明】
【００６０】
１，５０  屋根付腰掛
１０，５５  屋根部
１１  幌
１２  支柱
１３，５６  遮へい部材
１４  通し孔
２１，６１  一対のベース部材
２３，６３  車輪
２４，６４  座部
２５，６５  係止部
【図１】
2005118182.tif 000003
【図２】
2005118182.tif 000004
【図３】
2005118182.tif 000005
【図４】
2005118182.tif 000006
【図５】
2005118182.tif 000007
【図６】
2005118182.tif 000008